(57)【要約】      （修正有）【課題】顕微鏡標本の取り違えを防止し検査の信頼性を高めるためのパラフィンブロック作成具を提供する。【解決手段】パラフィン収容部２とその周縁に設けられたカセット載置部３とからなり、検体をパラフィンで包埋したパラフィンブロックを作成するためのトレイであって、前記パラフィン収容部３の平面視の形状を異にする複数のトレイ１からなることを特徴とするパラフィンブロック作成用トレイである。【選択図】図１
2015114139.tif 000002
【特許請求の範囲】
【請求項１】
パラフィン収容部とその周縁に設けられたカセット載置部とからなり、検体をパラフィンで包埋したパラフィンブロックを作成するためのトレイであって、
前記パラフィン収容部の平面視の形状を異にする複数のトレイからなることを特徴とするパラフィンブロック作成用トレイ。
【請求項２】
パラフィンが着色されたパラフィンであることを特徴とする請求項１記載のパラフィンブロック作成用トレイ。
【発明の詳細な説明】
【技術分野】
【０００１】
本発明は、パラフィンブロック作成用トレイに関し、更に詳しくは、顕微鏡標本の取り違えを防止して検査の信頼性を高めるための顕微鏡標本を提供するためのパラフィンブロック作成用トレイに関する。
【背景技術】
【０００２】
従来のこの種の顕微鏡標本の作成に用いられる医療検査用カセット（以下、単にカセットと称することがある）１１は、図６および図７に示すように、耐薬品性合成樹脂からなるカセット本体１２と蓋体１３とを具備してなる。カセット本体１２は、上面を開放した方形の容器で、底面部に多数の透孔１４を有し、短辺側の一側壁の外側に底面部に向かって末広がり状に傾斜した板状の記録部１２ａを設けている。蓋体１３は、着脱可能な板状体で、板面に多数の透孔１４を有している。１５は蓋体１３とカセット本体１２との係止部である。
【０００３】
上記カセット１１を使用して顕微鏡標本を作製するには、まず、図７に示すように、採取した検体Ｓをカセット本体１２内に収容して蓋体１３を取り付け、記録部１２ａに被検者を特定するための氏名や記号等を記録しておく。
【０００４】
続いて、蓋体１３の透孔１４を通じて、検体Ｓを水洗し、アルコールにより検体Ｓの水分を除去し、キシレンにより検体Ｓの脂肪分を除去するとともに後述する液状パラフィンとの親和性を付与する。
【０００５】
次に、図８に示すようなステンレス製のトレイＴ内に液状パラフィンＰを入れ、検体Ｓをカセット本体１２から取り出して前記トレイＴの中に移し替え、トレイＴの中で検体Ｓに液状パラフィンを浸透させ検体Ｓを仮固定する。続いて、図９に示すように、トレイＴのカセット載置部Ｔ２にカセット本体１２を載せ、更に、カセット本体１２が液状パラフィンＰに浸るまで、更に液状パラフィンＰを検体Ｓ上に注ぎ足す。
【０００６】
次いで、図１０に示すように、液状パラフィンＰが固化した後トレイＴを取り去ることにより、検体Ｓを包埋したパラフィンＰがカセット本体１２の底面部に付着してなるパラフィンブロックＢを得る。
【０００７】
次に、図示しないが、ミクロトーム上にパラフィンブロックＢを裏返して載せて、ミクロトームに設置されたアダプターをパラフィンブロックＢに係合することにより、パラフィンブロックＢをミクロトームに固定する。続いて、パラフィンＰの検体Ｓを包埋した部分をスライスし、得られた薄片に染色、その他の所定の処理を施すことにより、図１１に示すような顕微鏡標本Ｈを得る。
【０００８】
ところで、上記のように、カセット本体１２の記録部１２ａには、被検者の氏名や記号等を記録されているが、得られた顕微鏡標本Ｈはカセット本体１２とは完全に分離されるため、しばしば、被検者を取り違えるといった深刻なトラブルが発生する。
【０００９】
このようなトラブルを解消するために、カセットの蓋の表面に番号、アルファベット等の識別表示を突設したカセットが提案されている（例えば、特許文献１参照）。
しかしながら、この蓋も顕微鏡標本とは完全に分離されるため、検体を取り違えるといったトラブルは解消されない。
【００１０】
本発明はかかる実情に鑑み、従来の顕微鏡標本作成における上記課題を解消するためのパラフィンブロック作成用トレイを提供するものである。
【先行技術文献】
【特許文献】
【００１１】
【特許文献１】特許第４４０２２６５号公報
【発明の概要】
【発明が解決しようとする課題】
【００１２】
本発明者は上記従来技術の課題を解消せんとして鋭意検討の結果、顕微鏡標本にトレイのパラフィン収容部の形状を転写して顕微鏡標本自体を転写した形状により識別可能とすれば、顕微鏡標本（検体）と識別表示とは不離一体となり、取り違えのトラブルが根絶されることを知見し、本発明を完成するに至ったものである。
【課題を解決するための手段】
【００１３】
即ち、本発明の特徴は、パラフィン収容部とその周縁に設けられたカセット載置部とからなり、検体をパラフィンで包埋したパラフィンブロックを作成するためのトレイであって、前記パラフィン収容部の平面視の形状を異にする複数のトレイからなることを特徴とするパラフィンブロック作成用トレイである。
【００１４】
本発明の他の特徴は、パラフィンが着色されたパラフィンであることを特徴とするパラフィンブロック作成用トレイである。
【発明の効果】
【００１５】
本発明のパラフィンブロック作成用トレイによれば、得られるパラフィンブロックはトレイのパラフィン収容部の形状が転写された形状からなるので、このパラフィンブロックをスライスすれば、薄切された検体を含むパラフィンの薄片は、トレイのパラフィン収容部の形状（輪郭）からなり、そしてパラフィン収容部の形状はトレイ毎に異なっているため、薄片の形状（輪郭）も全て異なるものとなる。この結果、これを染色等の処理をして得られる顕微鏡標本はいずれも形状（輪郭）を異にするとともに、その内部に検体を内包し不離一体であるため、この形状（輪郭）を識別表示とすることにより、顕微鏡標本を取り違えるといったトラブルが解消される。
【００１６】
また、パラフィンに着色したパラフィンを用いることにより、上記パラフィン収容部の形状と組み合わせることにより、多数の顕微鏡標本の識別表示とすることができる。
【図面の簡単な説明】
【００１７】
【図１】本発明におけるトレイの一例を示すもので、（ａ）は断面図、（ｂ）は平面図、（ｃ）は該トレイを用いて得られる顕微鏡標本の概略図である。
【図２】本発明におけるトレイの他の例を示す平面図である。
【図３】本発明におけるトレイの更に他の例を示す平面図である。
【図４】図２のトレイを用いた得られる顕微鏡標本の概略図である。
【図５】図３のトレイを用いた得られる顕微鏡標本の概略図である。
【図６】医療検査用カセットの一例を示す斜視図である。
【図７】図６の医療検査用カセット検体を収容した状態を示す概略断面図である。
【図８】従来のトレイの一例を示す斜視図である。
【図９】図８のトレイを用いてパラフィンブロックを作成する状態を示す概略断面図である。
【図１０】図９で得られるパラフィンブロックを示す概略断面図である。
【図１１】図１０のパラフィンブロックをスライスして得られる顕微鏡標本を示す上面図である。
【発明を実施するための形態】
【００１８】
本発明のパラフィンブロック作成用トレイは、パラフィン収容部とその周縁に設けられたカセット載置部とからなり、検体をパラフィンで包埋したパラフィンブロックを作成するためのトレイであって、前記パラフィン収容部の平面視の形状（以下、単に形状と記す）を異にする複数のトレイからなることを特徴とする。
【００１９】
図１は本発明におけるトレイの一例を示すもので（ａ）は断面図、（ｂ）は平面図である。
これらの図において、トレイ１は平面視の形状が方形の容器からなるパラフィン収容部２と、その周縁に設けられたカセット載置部３とからなり、通常、額縁部４が設けられ、必要に応じ、額縁部４の対向する２辺には把持部が突設される。
トレイ１の素材としては、ステンレス、銅、アルミ等の金属、ＡＢＳ樹脂、ＡＳ樹脂、ポリスチレン樹脂、ポリメチル（メタ）アクリレート樹脂、ポリアセタール樹脂、ポリアミド樹脂、ポリエステル樹脂、ポリカーボネート樹脂等の樹脂が挙げられる。
【００２０】
図１（ｃ）は、上記トレイ１を用いて得られる顕微鏡標本Ｈを示す。
トレイ１を用いてカセットブロックを作成する方法は、上記従来の方法と同様で、医療検査用カセットを用いて作成される。医療検査用カセットとしては、図６に示したように、カセット本体と蓋体とからなり、多数の透孔を有するものであればよい。即ち、図６のカセットはカセット本体に記録部を有するが、このような記録部を有していないカセットや、またカセット本体と蓋体との係合構造も図示したものと異なる係合構造のカセットであってもよい。
カセットブロックを作成するには、背景技術で記載したのと同様にして、水洗、薬液処理等を施した検体Ｓをカセット本体からトレイ１のパラフィン収容部２に移し替え、トレイ１のカセット載置部３にカセット本体を載せ、カセット本体の上部まで液状パラフィンＰを注ぐ。
次いで、液状パラフィンＰが固化した後、トレイ１を取り去り、検体Ｓを包埋したパラフィンブロックが得られる。
【００２１】
次いで、背景技術で記載した如く、ミクロトーム上にパラフィンブロックを裏返して固定し、検体Ｓを包埋したパラフィンＰの部分をスライスすると、図１（ｃ）に示すように、トレイ１のパラフィン収容部２の形状からなるパラフィンＰの中に検体Ｓを包埋した薄片が得られ、これに染色等の処理を施すことにより顕微鏡標本Ｈが得られる。
【００２２】
本発明におけるパラフィンブロック作成用トレイは、パラフィン収容部の形状を異にする複数のトレイからなる。本発明において、複数のトレイとは、２個以上のトレイであり、同時に、即ち、取り違えの生じる恐れのある顕微鏡標本の数である。
パラフィン収容部の形状は、複数のトレイの各々がパラフィンブロックをスライスして薄片とした際に互いに視覚的に区別でき、識別表示として使用できるものであればよい。また、パラフィン収容部は、パラフィン固化後にトレイを取り外し易いように、底部に向って小さくなるようにテーパー状に形成される。図１に示したパラフィン収容部の形状の他に、図２、図３にその代表例を示す。
【００２３】
図２は、図１に示したトレイ１において、パラフィン収容部２の形状を円形、楕円形、半円形、５角形、６角形、３角形等に変更したトレイを示す平面図である。
【００２４】
図３は、図１に示したトレイ１において、パラフィン収容部２の形状をハート、クラブ、スペード、ダイヤの各形状に変更したトレイを示す平面図である。
【００２５】
図４は、図２のトレイ１を用いて得られる顕微鏡標本Ｈを示し、図５は、図３のトレイ１を用いて得られる顕微鏡標本Ｈを示す。
これらの顕微鏡標本Ｈは、いずれもトレイのパラフィン収容部２の形状（輪郭）からなるパラフィンＰの中に検体Ｓを包埋してなる。
【００２６】
本発明のパラフィンブロック作成用トレイ１は、上記のようにパラフィン収容部２の形状を異にする複数個のトレイ１からなるので、これらのトレイ１から得られる複数の顕微鏡標本Ｈもパラフィン収容部の形状が転写された形状からなる。従って、得られる顕微鏡標本Ｈはいずれも互いに異なる形状を有しており、しかもこの形状は検体Ｓと不離一体であり、分離されることがない。
かくして、顕微鏡標本Ｈは、それらの形状を識別表示とすることにより明確に区別されるので、顕微鏡標本Ｈ（検体Ｓ）を取り違えるといったトラベルは根絶される。
【００２７】
尚、使用するパラフィンを着色し、これを識別表示とすることにより、上記形状と組み合わせて多数の顕微鏡標本Ｈ（検体Ｓ）を識別することができる。
例えば、図１〜図３では、パラフィン収容部２を異にするトレイ１を１３個示し、これらのトレイ１を用いて１３個の形状の異なる標本Ｈ（検体Ｓ）が得られる。この場合において、使用するパラフィンを、例えば赤色に着色すれば形状と色とで更に１３個（合計２６個）の顕微鏡標本Ｈ（検体Ｓ）が識別され、更に、例えば、青色に着色すれば更に１３個（合計３９個）の顕微鏡標本Ｈ（検体Ｓ）が識別ざれることになる。このように、トレイの数は一定の数ｎとした場合、パラフィンの色を変えるだけで２ｎ（色が２個）、３ｎ（色が３個）、４ｎ（色が４個）・・・の顕微鏡標本Ｈ（検体Ｓ）が識別可能となる。従って、多数の顕微鏡標本Ｈ（検体Ｓ）を一度に処理しても取り違えることはなくなり、検査の信頼性が確保される。
尚、パラフィンの色を変える場合は、トレイの数が少なくても多数の顕微鏡標本Ｈを検査できるので、トレイの数を減らすことができる。従って、トレイの製造コストが低減され、また在庫管理等も容易である。
【産業上の利用可能性】
【００２８】
叙上のとおり、本発明のパラフィンブロック作成用トレイによれば、検体と不離一体の識別表示を含む顕微鏡標本が得られるので、顕微鏡標本を取り違えるといった深刻なトラブルが防止され、検体の信頼性が向上する。
【符号の説明】
【００２９】
１  トレイ
２  パラフィン収容部
３  カセット載置部
４  額縁部
Ｓ  検体
Ｈ  顕微鏡標本
１１  医療検査用カセット
１２  カセット本体
１２ａ  記録部
１３  蓋体
１４  透孔
１５  係止部
Ｔ  従来のトレイ
Ｔ１  額縁部
Ｔ２  カセット載置部
Ｐ  パラフィン
Ｂ  パラフィンブロック
【図１】
2015114139.tif 000003
【図２】
2015114139.tif 000004
【図３】
2015114139.tif 000005
【図４】
2015114139.tif 000006
【図５】
2015114139.tif 000007
【図６】
2015114139.tif 000008
【図７】
2015114139.tif 000009
【図８】
2015114139.tif 000010
【図９】
2015114139.tif 000011
【図１０】
2015114139.tif 000012
【図１１】
2015114139.tif 000013